(57)【要約】【課題】一つの有線型磁気近接スイッチで、引き違い戸の何れの引き戸が開けられた場合にもそれを検出できるようにする。【解決手段】両引き戸２、３が閉じられている時、マグネット取付体２０は支持部材４０に支持され、マグネット２２とリードスイッチ３３は対向している。屋外引き戸２を開け、支持部材４０の長さを超えて引くと、マグネット取付体２０は、支持部材４０の支持を失って自重でピン２５を回転中心として下方向に回動し、マグネット２２はリードスイッチ３３との対向位置からずれる。このように、屋外引き戸２と屋内引き戸３とが相対的に所定の距離以上走行すると、マグネット２２とリードスイッチ３３との位置関係が相対的に変化する。【選択図】  図１
2006249707.tif 000002
【特許請求の範囲】
【請求項１】
引き違い戸に用いる有線型磁気近接スイッチを用いた磁気近接スイッチシステムであって、
引き違い戸の枠体との位置関係が変化しないように取り付けられた有線型のリードスイッチと、
屋外引き戸と屋内引き戸とが相対的に所定の距離以上走行した場合、有線型リードスイッチとの位置関係が相対的に変化するようにマグネットを動かす手段と
を備えることを特徴とする磁気近接スイッチシステム。
【発明の詳細な説明】
【技術分野】
【０００１】
本発明は、窓や戸が開けられたことを検出する磁気近接スイッチシステムに係り、特に、一つの錠を解錠することで左右の戸の両方を開閉することができる引き違い戸に用いる磁気近接スイッチシステムに関する。
【背景技術】
【０００２】
磁気近接スイッチは、マグネットとリードスイッチで構成され、警備の分野ではドアや窓、引き戸（ここでは便宜的にこれらを総称して引き戸という）が開けられたことを検出するためのセンサとして広く用いられている。また、周知の通り、そして、磁気近接スイッチには、引き戸が開かれてマグネットとリードスイッチが対向位置から外れ、リードスイッチが開いたことを検出すると、無線によって引き戸が開かれたことを警備装置に送信する、いわゆるワイヤレス型のものと、リードスイッチから警備装置まで配線を敷設し、警備装置側でリードスイッチの状態を監視することにより、引き戸が開けられたか否かを検出する、いわゆる有線型のものが知られている。
【０００３】
なお、磁気近接スイッチはマグネットスイッチと称されることもあるが、本明細書では磁気近接スイッチと称することにする。
【０００４】
そして、引き違い戸に対して磁気近接スイッチシステムを構築する場合には、特許文献１の図９や、特許文献２の図１０に見られるように、それぞれの引き戸に対して磁気近接スイッチを配置していた。
【特許文献１】特開２００４−３２６６０９号公報
【特許文献２】特開２００３−２９６８２７号公報
【発明の開示】
【発明が解決しようとする課題】
【０００５】
しかし、従来の構成では、有線型の磁気近接スイッチを用いる場合、片開きの引き戸であれば磁気近接スイッチは一つで済むが、引き違い戸の場合は両方の引き戸に対してそれぞれ磁気近接スイッチを取り付けなければならないので、都合２つの磁気近接スイッチが必要となる。クレセント錠等の一つの錠によって施錠、解錠される引き違い戸は、それぞれの引き戸が独立して施錠、解錠できないのであるから、本来は一つの引き違い戸に対して一つの磁気近接スイッチがあればよく、２つの磁気近接スイッチを取り付けることは無駄である。
【０００６】
また、従来の構成では、有線型の磁気近接スイッチを用いる場合、各磁気近接スイッチから警備装置まで配線を敷設しなければならないので、工事は煩わしいものとなる。この問題は、引き違い戸の数が多くなる程顕著である。
【０００７】
これに対して、ワイヤレス型のものを用いれば、配線も不要であり、しかも、マグネット側だけでなくリードスイッチ側についても、引き戸の開閉に伴って引き違い戸の枠体との位置関係が変化するように取り付けることができるので、一つの引き違い戸に対して一つのワイヤレス型磁気近接スイッチを取り付けるだけでよいのであるが、ワイヤレス型のものはコストが高いという問題がある。
【０００８】
このように、それぞれの引き戸に磁気近接スイッチを配置するのに対して、特許文献１の図５，図６に示されるような構成とすれば、一対のマグネットとリードスイッチで何れの引き戸が開けられた場合にもそれを検出することができるが、特許文献１に示されるものはクレセント錠と一体であるので全体の構成が複雑であり、また上述した通りワイヤレス型であるので高価なものとなる。更に、特許文献１に示されるものを既存の引き違い戸に適用する場合には、クレセント錠の取り替えの手間が掛かるという問題もある。
【０００９】
そこで、本発明は、一つの有線型磁気近接スイッチによって、引き違い戸の何れの引き戸が開けられた場合にもそれを検出することができる磁気近接スイッチシステムを提供することを目的とするものである。
【課題を解決するための手段】
【００１０】
上記目的を達成する本発明の磁気近接スイッチシステムは、引き違い戸に用いる有線型磁気近接スイッチを用いた磁気近接スイッチシステムであって、引き違い戸の枠体との位置関係が変化しないように取り付けられた有線型のリードスイッチと、屋外引き戸と屋内引き戸とが相対的に所定の距離以上走行した場合、有線型リードスイッチとの位置関係が相対的に変化するようにマグネットを動かす手段とを備えることを特徴とするものである。
【発明の効果】
【００１１】
本発明の磁気近接スイッチシステムによれば、一つの有線型磁気近接スイッチで、引き違い戸の何れの引き戸が開けられた場合にもそれを検出することができるので、安価に構成することができる。また、リードスイッチ３３から警備装置まで配線を敷設しなければならないが、用いるリードスイッチは一つだけであるので、配線の敷設の工事も容易である。
【発明を実施するための最良の形態】
【００１２】
以下、図面を参照しつつ発明の実施の形態について説明する。図１は、本発明に係る磁気近接スイッチシステムの一実施の形態の構成例を示す斜視図であり、図中、１は鴨居に設置したサッシの枠体、２は屋外引き戸、２Ａは屋外引き戸の上部横桟、３は屋内引き戸、３Ａは屋内引き戸の縦桟、４は鴨居、２０はマグネット取付体、２３はマグネット取付体の取付部材、２４は支持ブラケット、３０はリードスイッチ収容体、３１は配線、４０はマグネット取付体を支持するための支持部材を示す。
【００１３】
ここで、屋外引き戸２と屋内引き戸３とは、枠体１に互いに引き違い状となるように走行自在に嵌め込まれている。ここでは、便宜的に、図示しない錠が施錠されているとき、室内から見て向かって左が屋外引き戸２、向かって右が屋内引き戸３とする。なお、錠は図示しないが、クレセント錠でもよく、差し込み錠でもよく、その他の錠であってもよい。
【００１４】
次に、この磁気近接スイッチシステムにおける主要な構成要素であるマグネット取付体２０、リードスイッチ収容体３０、及び支持部材４０について説明する。図２は、マグネット取付体２０の構造、及びその取付部材２３への取付構造の例を示す斜視図であり、マグネット取付体２０は、直方体形状の箱部材２１の所定の一面の所定の位置にマグネット２２が取り付けられたものである。マグネット２２の箱部材２１への取付は接着で行えばよい。
【００１５】
そして、このマグネット取付体２０は、屋内引き戸３の縦桟３Ａの側面に取り付けられる取付部材２３の上端部に形成された支持ブラケット２４に、ピン２５によりピン結合され、ピン２５を回転中心として回動可能となされている。このマグネット取付体２０の回動方向は図２の矢印ａで示す方向となる。即ち、図１と図２とを併せてみると、マグネット取付体２０は、屋内引き戸３の縦桟３Ａの側面側で、屋外引き戸２のガラス面に平行な面で回動可能なことがわかる。
【００１６】
なお、図２では、マグネット取付体２０は、支持ブラケット２４にピン結合するものとしたが、要するに、屋内引き戸３の縦桟３Ａの側面側で、一つの回転軸を中心として、屋外引き戸２のガラス面に平行な面で回動可能となされるのであれば、どのような取付構造であってもよい。
【００１７】
マグネット２２が取り付けられる位置は、マグネット取付体２０を取付部材２３に取り付けたときに屋内側となる面であって、マグネット取付体２０が後述する支持部材４０に支持されている状態において、リードスイッチ収容体３０に収容されているリードスイッチと対向する位置である。
【００１８】
マグネット取付体２０の箱部材２１の材料としては、リードスイッチに対して磁気的な影響を及ぼさないように、非磁性体を用いるのがよい。非磁性体の金属であってよいことは勿論であるが、プラスチックや硬質の紙を用いてもよい。ただし、箱部材２１は、マグネット取付体２０が図２の矢印ａの下方向に回動しきって取付部材２３に当たるときの衝撃に耐えられるものである必要があることはいうまでもない。なお、取付部材２３に当たったときの衝撃を緩和するために、箱部材２１の取付部材２３と当たる面にスポンジ等の衝撃緩和部材を設けることもできる。
【００１９】
なお、図１，図２では、取付部材２３は、屋内引き戸３の縦桟３Ａの側面の上端部にねじ止めしているが、接着剤で貼り付けてもよいことは当業者に明らかである。
【００２０】
図３は、リードスイッチ収容体３０の構造例を示す斜視図であり、リードスイッチ収容体３０の内部を透視した斜視図である。図３に示すように、リードスイッチ収容体３０は、両端が支持体３２に支持されたリードスイッチ３３を、プラスチック等の非磁性体の容器３４に収容したものである。そして、リードスイッチ３３からの配線３１は容器３４から引き出され、警備装置（図示せず）まで敷設される。このような構成のリードスイッチ収容体は広く一般に使用されているものである。
【００２１】
図１では、このリードスイッチ収容体３０は、当該引き違い戸が設置される鴨居４に取り付けられている。即ち、図１では、リードスイッチ収容体３０は鴨居４に固定されている。このリードスイッチ収容体３０の取り付けは、リードスイッチ３３がマグネット取付体２０の側に向くように、具体的には、マグネット取付体２０が後述する支持部材４０に支持されている状態において、リードスイッチ３３がマグネット取付体２０のマグネット２２と対向する位置となるように行う。
【００２２】
なお、図１では、リードスイッチ収容体３０は鴨居４に直接取り付けるようにしているが、これはあくまでも一例に過ぎないものであって、サッシの構造、マグネット取付体２０が後述する支持部材４０で支持される高さ、あるいはリードスイッチ収容体３０の取り付け位置の周囲の状況等によって、必要に応じて適宜な取り付け具を用いて取り付けてもよいことは当然である。また、鴨居４ではなく、天井に取り付けてもよい。要するに、リードスイッチ収容体３０は、枠体１との位置関係が変化しないように取り付ければよいのである。
【００２３】
次に、支持部材４０について図４を参照して説明する。図４（ａ）は支持部材４０を説明するための斜視図であり、図では、支持部材４０は１枚の板材で構成され、その左右の上端部にはアール状に面取りされ、丸みが付されている。即ち、支持部材４０は全体として蒲鉾状となっている。このようにすることの意味は後述するところから明らかになるであろう。なお、支持部材４０の材料としては、金属板、プラスチック板あるいは硬質の厚紙等を用いることができる。
【００２４】
この実施の形態では、支持部材４０は取付基板４１に接着剤によって貼り付けて用いている。支持部材４０を取付基板４１に取り付けた状態の側面図を図４（ｂ）に示す。取付基板４１の高さは支持部材４０の高さより高くなされている。そして、図１に示すように、この取付基板４１を屋外引き戸２の上部の横桟２Ａの屋内引き戸３側の端部近傍に取り付けて用いるようにしている。取付基板４１の横桟２Ａへの取り付けは接着剤を用いればよい。
【００２５】
そして、図１に示す構成の場合には、支持部材４０と取付基板４１を貼り合わせたときの厚さＴ（図４（ｂ））は、錠を解錠したときの屋外引き戸２の横桟２Ａと屋内引き戸３の縦桟３Ａとの間の間隙よりも小さくなるようにする必要がある。そうしないと、何れの引き戸であっても引き戸を開けようとした時、屋内引き戸３の縦桟３Ａが支持部材４０に当たってしまい、それ以上開かなくなるからである。また、支持部材４０の長さＬは任意である。
【００２６】
なお、この実施の形態では、上記のように、支持部材４０を取付基板４１に貼り付けて用いるものとしているが、その厚さＴが、錠を解錠したときの屋外引き戸２の横桟２Ａと屋内引き戸３の縦桟３Ａとの間の間隙より大きくなってしまう場合、あるいはその他の条件によっては、支持部材４０自体を屋外引き戸２の横桟２Ａに取り付けてもよい。更に、サッシの構造やその他の種々の要因によって、支持部材４０自体を屋外引き戸２の横桟２Ａに取り付けられない場合には、屋外引き戸２のガラス面に取り付けるようにしてもよい。
【００２７】
以上、マグネット取付体２０、リードスイッチ収容体３０、及び支持部材４０について説明したが、次に、これらの相対的な配置関係について、図５を参照して説明する。図５は、引き違い戸に磁気近接スイッチシステムを構築した場合の、マグネット取付体２０、リードスイッチ収容体３０、及び支持部材４０の両引き戸が閉じられている状態における配置の相対的な位置関係を説明する図であり、図１の矢印Ｘで示す方向から見た側面図である。なお、図５では、図が煩雑になるのを避けるために、枠体１、両引き戸２、３、及び鴨居４等は図示を省略している。
【００２８】
両引き戸２、３が閉じられている状態では、マグネット取付体２０の下面の屋外側端部は支持部材４０の上側エッジに載っている。即ち、マグネット取付体２０は支持部材４０によって支持されている。また、この状態において、リードスイッチ収容体３０のリードスイッチ３３は、マグネット取付体２０のマグネット２２と対向している。マグネット取付体２０、リードスイッチ収容体３０、及び支持部材４０は、このような位置関係になるように配設されるのである。そして、両引き戸２、３が閉じている状態では、リードスイッチ３３は短絡状態にあり、このことによって警備装置は両引き戸２、３が閉じられていることを検出する。
【００２９】
次に、両引き戸２、３が閉じられている状態から屋外引き戸２を、図１の右側方向に開けるとすると、マグネット取付体２０が支持部材４０に支持されている間はマグネット２２とリードスイッチ３３は対向した状態を保つが、支持部材４０の長さを超えて開くと、マグネット取付体２０は、支持部材４０の支持を失って自重でピン２５を回転中心として下方向に回動し始め、最終的には図６に示すように、屋内引き戸３の縦桟３Ａの側面に当たる。
【００３０】
図６に示す状態では、マグネット２２とリードスイッチ３３は対向していないので、リードスイッチ３３は開いた状態となり、このことによって警備装置は引き戸が開けられたことを検出する。
【００３１】
次に、屋外引き戸２を開いた状態から閉める場合を考えると、屋外引き戸２を図６の状態から左側に引いてくるとマグネット取付体２０の下面の屋外側端部が支持部材４０の上側エッジの面取りされた部分に当たるが、そのまま引き続けると、マグネット取付体２０は支持部材４０の面取りされた部分に沿って持ち上げられ、最終的には図１に示すように、支持部材４０によって支持された状態となる。これが支持部材４０の左右の上端部をアール状に面取りしている理由である。
【００３２】
以上は屋外引き戸２を開いた場合について説明したが、屋内引き戸３を開いた場合、開いた状態から閉める場合も同様である。
【００３３】
このように、この磁気近接スイッチシステムでは、屋外引き戸２と屋内引き戸３とが相対的に所定の距離以上走行すると、マグネット２２とリードスイッチ３３との位置関係が相対的に変化するのである。そして、両引き戸２、３を閉めるとマグネット取付体２０は自然と支持部材４０に支持される状態となるのである。
【００３４】
具体的には、屋外引き戸２と屋内引き戸３を相対的に支持部材４０の長さ以上走行させると、マグネット取付体２０は支持部材４０の支持を失って下方向に回動し、最終的には図６に示すように、屋内引き戸３の縦桟３Ａの側面に当たることになるのである。これがマグネット２２とリードスイッチ３３の位置関係が相対的に変化するということである。そして、このことによって警備装置は引き戸が開けられたことを検出することができるのである。
【００３５】
以上のように、この磁気近接スイッチシステムによれば、一つの有線型磁気近接スイッチで、引き違い戸の何れの引き戸が開けられた場合にもそれを検出することができるので、安価に構成することができる。また、リードスイッチ３３から警備装置まで配線を敷設しなければならないが、用いるリードスイッチは一つだけであるので、配線の敷設の工事も容易である。
【図面の簡単な説明】
【００３６】
【図１】本発明に係る磁気近接スイッチシステムの一実施の形態の構成例を示す斜視図である。
【図２】マグネット取付体２０の構造、及びその取付部材２３への取付構造の例を示す斜視図である。
【図３】リードスイッチ収容体３０の構造例を示す斜視図であり、リードスイッチ収容体３０の内部を透視した斜視図である。
【図４】支持部材４０を説明する図であり、図４（ａ）は支持部材４０を説明するための斜視図、図４（ｂ）は支持部材４０を取付基板４１に取り付けた状態の側面図である。
【図５】マグネット取付体２０が支持部材４０に支持されている状態におけるマグネット取付体２０、リードスイッチ収容体３０、及び支持部材４０の相対的な配置関係を説明するための図である。
【図６】両引き戸２、３が閉じられている状態から屋外引き戸２を開けたときのマグネット取付体２０の状態を示す図である。
【符号の説明】
【００３７】
１…サッシの枠体、２…屋外引き戸、２Ａ…屋外引き戸２の横桟、３…屋内引き戸、３Ａ…屋内引き戸３の縦桟、４…鴨居、２０…マグネット取付体、２１…マグネット取付体２０の箱部材、２２…マグネット、２３…取り付け部材、２４…支持ブラケット、２５…ピン、３０…リードスイッチ収容体、３１…配線、３３…リードスイッチ、３４…リードスイッチ収容体３０の容器、４０…支持部材、４１…取付基板。
【図１】
2006249707.tif 000003
【図２】
2006249707.tif 000004
【図３】
2006249707.tif 000005
【図４】
2006249707.tif 000006
【図５】
2006249707.tif 000007
【図６】
2006249707.tif 000008